(57)【要約】  【課題】  起動時間を短くすることができる燃料電池装置を提供する。  【解決手段】  本発明の燃料電池装置は、燃料ガスと酸素含有ガスとで発電を行なう燃料電池セル２を複数個配列してなるセルスタック７と、該セルスタック７の側方であって、燃料電池セル２の配列方向に沿って配置された加熱体３と、セルスタック７と加熱体３との間に配置され、燃料電池セル２に供給する燃料ガスを生成するための改質器と４を備えることから、燃料電池装置の起動時間を早くすることができるほか、コンパクトな燃料電池装置とすることができる。【選択図】  図１
2014089837.tif 000002
【特許請求の範囲】
【請求項１】
燃料ガスと酸素含有ガスとで発電を行なう燃料電池セルを複数個配列してなるセルスタックと、該セルスタックの側方であって、前記燃料電池セルの配列方向に沿って配置された加熱体と、前記セルスタックと前記加熱体との間に配置され、前記燃料電池セルに供給する燃料ガスを生成するための改質器とを備えることを特徴とする燃料電池装置。
【請求項２】
前記セルスタックの上方に、前記改質器に供給する水を気化するための気化部と、該気化部に供給する水を貯水するための水タンクとが順に配置されており、前記セルスタックと前記気化部との間が、前記燃料電池セルより排出される燃料ガスが燃焼する燃焼領域とされていることを特徴とする請求項１に記載の燃料電池装置。
【請求項３】
前記セルスタックが、前記改質器にて改質された燃料ガスを貯留するマニホールド上に固定されており、前記改質器は一端が前記気化部と接続され、他端が前記マニホールドと接続されていることを特徴とする請求項２に記載の燃料電池装置。
【請求項４】
前記加熱体および前記改質器に向けて原燃料を供給する原燃料供給部と、該原燃料供給部と前記加熱体とを接続する加熱体用燃料供給管と、前記原燃料供給部と前記気化部とを接続する改質用燃料供給管と、前記水タンクと前記気化部とを接続する水供給管と、それぞれの供給管を流れる原燃料および水の供給量を調整するための制御装置を備えることを特徴とする請求項２または請求項３に記載の燃料電池装置。
【請求項５】
前記加熱体用燃料供給管と前記改質用燃料供給管とを流れる原燃料の量を調整するための原燃料調整弁と、水供給管を流れる水の量を調整するための水調整弁とを備え、前記制御装置は、燃料電池装置の起動時において、前記それぞれの供給管に同時に原燃料および水を供給するよう前記原燃料調整弁および前記水調整弁を制御することを特徴とする請求項４に記載の燃料電池装置。
【請求項６】
前記加熱体用燃料供給管と前記改質用燃料供給管とを流れる原燃料の量を調整するための原燃料調整弁と、水供給管を流れる水の量を調整するための水調整弁と、前記燃料電池セルの温度を測定するための温度測定部とを備え、前記制御装置は、燃料電池装置の起動時において、原燃料が前記加熱体用燃料供給管を流れるように前記原燃料調整弁を制御し、前記温度測定部により測定された温度が所定の温度を超えたのちは、原燃料が前記加熱体用燃料供給管および前記改質用燃料供給管を流れるように前記原燃料調整弁を制御することを特徴とする請求項４に記載の燃料電池装置。
【発明の詳細な説明】
【技術分野】
【０００１】
本発明は、燃料電池装置に関する。
【背景技術】
【０００２】
近年、次世代エネルギーとして、燃料ガス（水素含有ガス）と酸素含有ガス（空気）とを用いて電力を得ることができる燃料電池セルを収納容器内に収納してなる燃料電池モジュールや、燃料電池モジュールを外装ケース内に収納してなる燃料電池装置が種々提案されている（例えば、特許文献１参照。）。
【０００３】
ところで、固体酸化物形の燃料電池を備える燃料電池装置では、発電温度が特に高いことから、燃料電池装置の起動に長時間かかってしまう問題があり、起動時間を早めることが求められている。
【０００４】
そこで、特許文献２には、燃料電池セルの側方から加熱する加熱体を、燃料電池セルの側面と所定間隔をおいて設けた燃料電池が提案されている。
【先行技術文献】
【特許文献】
【０００５】
【特許文献１】特開２００７−５９３７７号公報
【特許文献２】特開２００８−２３５２８６号公報
【発明の概要】
【発明が解決しようとする課題】
【０００６】
しかしながら、特許文献２に記載の燃料電池では、燃料電池セルに供給する燃料ガスを生成するための改質器を別途設ける必要があるという問題があった。
【０００７】
そこで、本発明では、コンパクトでかつ起動を早めることが可能な燃料電池装置を提供することを目的とする。
【課題を解決するための手段】
【０００８】
本発明の燃料電池装置は、燃料ガスと酸素含有ガスとで発電を行なう燃料電池セルを複数個配列してなるセルスタックと、該セルスタックの側方であって、前記燃料電池セルの配列方向に沿って配置された加熱体と、前記セルスタックと前記加熱体との間に配置され、前記燃料電池セルに供給する燃料ガスを生成するための改質器とを備えることを特徴とする。
【発明の効果】
【０００９】
本発明の燃料電池装置は、セルスタックの側方にであって、燃料電池セルの配列方向に沿って加熱体を配置するとともに、セルスタックと加熱体との間に、燃料電池セルに供給する燃料ガスを生成するための改質器が配置されていることから、加熱体によりセルスタックおよび改質器を加熱することができ、それにより起動時間を早めることができる。
【図面の簡単な説明】
【００１０】
【図１】本実施形態の燃料電池装置の一例を示す斜視図である。
【図２】本実施形態の燃料電池装置の一例の一部を省略して示したものであり、（ａ）は側面図、（ｂ）（ａ）の一部を抜粋して示す拡大平面図である。
【図３】本実施形態の燃料電池装置の他の一例を示す斜視図である。
【図４】本実施形態の燃料電池装置の構成の一例を示す構成図である。
【図５】本実施形態の燃料電池装置の構成の他の一例を示す構成図である。
【発明を実施するための形態】
【００１１】
図１は、本実施形態の燃料電池装置の一例を示す斜視図である。なお、同一の部材については同一の番号を付するものとし、以下同様とする。
【００１２】
図１に示す燃料電池装置１は、固体酸化物形の燃料電池セル２の複数個を配列してなるセルスタック７が、燃料電池セルに燃料ガスを供給するためのマニホールド５上に配置されている。なお、燃料電池セル２には、複数個のガス流路６が設けられており、ガス流路６とマニホールド５とが連通している。なお、図１においてはセルスタック７として燃料電池セル２を４つ配置した例を示しているが、燃料電池セル２の数は限定されるものではない。なお、セルスタックや燃料電池セル２の構成については図２を用いて後述する。
【００１３】
また、図１に示す燃料電池装置は、セルスタック７の側方には、面状の加熱体３が燃料電池セル２の配列方向に沿って配置されている。またこの加熱体３とセルスタック７との間には、燃料電池セル２に供給する燃料ガスを生成するための改質器４が配置されている。なお、改質器４には天然ガス等の原燃料を改質して水素ガスを生成するための改質触媒が充填されている。なお、図１に示す燃料電池装置においては、天然ガス等の原燃料が加熱体３および改質器４に供給されるが、これらの構成については省略して示している。
【００１４】
このような燃料電池装置１においては、燃料電池装置１の起動時に加熱体３を作動させることで、セルスタック７の温度を急速に上昇させることができる。さらには、セルスタック７と加熱体３との間に配置された改質器４の温度も急速上昇させることができる。それにより、改質器４で改質可能となるまでの時間を短くすることができる。それゆえ、セルスタック７および改質器４のいずれも温度を急速に上昇させることができることから、燃料電池装置１の起動時間を早めることができる。さらに、このように改質器４がセルスタックと加熱体３との間に配置されていることから、コンパクトな燃料電池装置１とすることもできる。なお面状の加熱体３としては、面燃焼型バーナー（シュバンクバーナー）等を用いることができ、燃料電池セル２の高さ方向と同じかそれ以上の大きさで、セルスタック７の長さ（燃料電池セル２の配列長さ）と同じかそれ以上の大きさで配置することが好ましい。
【００１５】
図２は本実施形態の燃料電池装置のうち、加熱体３を省略して示したものであり、（ａ）は側面図、（ｂ）は（ａ）の一部を抜粋して示す拡大平面図である。
【００１６】
図２に示す燃料電池装置１は、内部にガス流路６を有して、一対の対向する平坦面をもつ断面が扁平状の導電性支持体１５の一方の平坦面上に内側電極層としての燃料極層１１と、固体電解質層１２と、外側電極層としての空気極層１３を順次積層してなるとともに、他方の平坦面のうち空気極層１３が形成されていない部位にインターコネクタ１４を積層してなる柱状の固体酸化物形の燃料電池セル２の複数個を、隣接する燃料電池セル２間に集電部材８を介して配置することで、燃料電池セル２同士を電気的に直列に接続してなるセルスタック７が形成される。なお、インターコネクタ１４の外面にはＰ型半導体層１６を設けることもできる。集電部材８を、Ｐ型半導体層１６を介してインターコネクタ１４に接続させることより、両者の接触がオーム接触となって電位降下を少なくし、集電性能の低下を有効に抑制することができる。このＰ型半導体層１６は、空気極層１３の外面に設けることもできる。
【００１７】
そして、セルスタック７を構成する各燃料電池セル２の下端が、ガス流路６を介して燃料電池セル２に反応ガスを供給するためのマニホールド５にガラスシール材等の接合材に
より固定されて、ガス流路６とマニホールド５とが連通している。また、図２に示す燃料電池装置１においては、マニホールド５の端部側に、天然ガス等の原燃料を改質してマニホールド５内に供給するための改質器４が接続されている。
【００１８】
また、燃料電池セル２の配列方向の両端から集電部材８を介してセルスタック７を挟持するように、マニホールド５に下端が固定された弾性変形可能な導電部材９を具備している。ここで、図２に示す導電部材９においては、燃料電池セル２の配列方向に沿って外側に向けて延びた形状で、セルスタック７（燃料電池セル２）の発電により生じる電流を引出すための電流引出し部１０が設けられている。
【００１９】
ちなみに、上記燃料電池装置１においては、ガス流路６より排出される燃料ガス（余剰の燃料ガス）を燃料電池セル２の上端部側で燃焼させるように構成することにより燃料電池セル２の温度を上昇させることができる。それにより、燃料電池装置１の起動を早めることができる。
【００２０】
以下に、図２において示す燃料電池セル２を構成する各部材について説明する。
【００２１】
燃料極層１１は、一般的に公知のものを使用することができ、多孔質の導電性セラミックス、例えば希土類元素が固溶しているＺｒＯ２（安定化ジルコニアと称する）とＮｉおよび／またはＮｉＯとから形成することができる。
【００２２】
固体電解質層１２は、電極間の電子の橋渡しをする電解質としての機能を有していると同時に、燃料ガスと酸素含有ガスとのリークを防止するためにガス遮断性を有することが必要とされ、３〜１５モル％の希土類元素が固溶したＺｒＯ２から形成される。なお、上記特性を有する限りにおいては、他の材料等を用いて形成してもよい。
【００２３】
空気極層１３は、一般的に用いられるものであれば特に制限はなく、例えば、いわゆるＡＢＯ３型のペロブスカイト型酸化物からなる導電性セラミックスから形成することができる。空気極層１３はガス透過性を有していることが必要であり、開気孔率が２０％以上、特に３０〜５０％の範囲にあることが好ましい。
【００２４】
インターコネクタ１４は、導電性セラミックスから形成することができるが、燃料ガス（水素含有ガス）および酸素含有ガス（空気等）と接触するため、耐還元性及び耐酸化性を有することが必要であり、それゆえランタンクロマイト系のペロブスカイト型酸化物（ＬａＣｒＯ３系酸化物）が好適に使用される。インターコネクタ１４は導電性支持体１５に形成された複数のガス流路６を流通する燃料ガス、および導電性支持体１５の外側を流通する酸素含有ガスのリークを防止するために緻密質でなければならず、９３％以上、特に９５％以上の相対密度を有していることが好ましい。
【００２５】
導電性支持体１５としては、燃料ガスを燃料極層１１まで透過するためにガス透過性であること、さらには、インターコネクタ１４を介して集電するために導電性であることが要求される。したがって、導電性支持体１５としては、かかる要求を満足するものを材質として採用する必要があり、例えば導電性セラミックスやサーメット等を用いることができる。
【００２６】
ちなみに、燃料電池セル２を作製するにあたり、燃料極層１１または固体電解質層１２との同時焼成により導電性支持体１５を作製する場合においては、鉄属金属成分と特定希土類酸化物（Ｙ２Ｏ３、Ｙｂ２Ｏ３等）とから導電性支持体１５を形成することが好ましい。また、導電性支持体１５は、所要ガス透過性を備えるために開気孔率が３０％以上、特に３５〜５０％の範囲にあるのが好適であり、そしてまたその導電率は３００Ｓ／ｃｍ
以上、特に４４０Ｓ／ｃｍ以上であるのが好ましい。
【００２７】
さらに、Ｐ型半導体層１６としては、遷移金属ペロブスカイト型酸化物からなる層を例示することができる。具体的には、インターコネクタ１４を構成するランタンクロマイト系のペロブスカイト型酸化物（ＬａＣｒＯ３系酸化物）よりも電子伝導性が大きいもの、例えば、ＢサイトにＭｎ、Ｆｅ、Ｃｏなどが存在するＬａＭｎＯ３系酸化物、ＬａＦｅＯ３系酸化物、ＬａＣｏＯ３系酸化物などの少なくとも一種からなるＰ型半導体セラミックスを使用することができる。このようなＰ型半導体層１６の厚みは、一般に、３０〜１００μｍの範囲にあることが好ましい。
【００２８】
なお、図示はしていないが、固体電解質層１２と空気極層１３との間に、固体電解質層１２と空気極層１３との接合を強固とするとともに、固体電解質層１２の成分と空気極層１３の成分とが反応して電気抵抗の高い反応層が形成されることを抑制する目的で中間層を備えることもできる。
【００２９】
ここで、中間層としては、Ｃｅ（セリウム）と他の希土類元素とを含有する組成にて形成することができ、例えば、
（１）：（ＣｅＯ２）１−ｘ（ＲＥＯ１．５）ｘ
式中、ＲＥはＳｍ、Ｙ、Ｙｂ、Ｇｄの少なくとも１種であり、ｘは０＜ｘ≦０．３を満足する数。
で表される組成を有していることが好ましい。さらには、電気抵抗を低減するという点から、ＲＥとしてＳｍやＧｄを用いることが好ましく、例えば１０〜２０モル％のＳｍＯ１．５またはＧｄＯ１．５が固溶したＣｅＯ２からなることが好ましい。
【００３０】
また、固体電解質層１２と空気極層１３とを強固に接合するとともに、固体電解質層１２の成分と空気極層１３の成分とが反応して電気抵抗の高い反応層が形成されることをさらに抑制することを目的として、中間層を２層から形成することもできる。
【００３１】
また、図示はしていないが、インターコネクタ１４と導電性支持体１５との間に、インターコネクタ１４と導電性支持体１５との間の熱膨張係数差を軽減する等のために密着層を設けることもできる。
【００３２】
密着層としては、燃料極層１１と類似した組成とすることができ、例えば、ＹＳＺなどの希土類元素が固溶しているＺｒＯ２（安定化ジルコニアと称する）とＮｉおよび／またはＮｉＯとから形成することができる。なお、希土類元素が固溶したＺｒＯ２と、Ｎｉおよび／またはＮｉＯとは、体積比で４０：６０〜６０：４０の範囲とすることが好ましい。
【００３３】
そして、図２に示すセルスタック７の側方に、燃料電池セル２の配列方向に沿って面状の加熱体３を配置し、燃料電池装置１の起動時において加熱体３を作動させることで、セルスタック７および改質器４のいずれも温度を急速に上昇させることができることから、燃料電池装置１の起動時間を早めることができる。
【００３４】
図３は、本実施形態の燃料電池装置の他の一例を示す斜視図である。
【００３５】
図３に示す燃料電池装置１７は、改質器４が水蒸気改質を行なう構成の場合を示しており、図１に示す燃料電池装置１におけるセルスタック７の上方に、改質器４に供給する水を気化するとともに、原燃料と混合するための気化部１８と、気化部１８に供給する水を貯水するための水タンク２０とが設けられており、気化部１８と水タンク２０とは、水供給管１９で接続され、水タンク２０には外部より水（水道水等）を供給するための水タン
ク水供給管２１が設けられている。
【００３６】
改質器４において効率のよい改質反応である水蒸気改質を行なうにあたり、改質器４に天然ガス等の原燃料のほか、水蒸気を供給する必要がある。ここで、図３に示す燃料電池装置１７においては、セルスタック７の上方に気化部１８が設けられていることから、改質器４に容易に水蒸気を供給することができる。
【００３７】
また、セルスタック７では、燃料電池セル２の上端部側にて、ガス流路６より排出される燃料ガス（余剰の燃料ガス）を燃焼させることで、この燃焼熱により気化部１８を加熱することができ、水タンク２０より水供給管１９を介して供給された水を水蒸気に気化させることができる。また、図３に示す燃料電池装置１７では、改質器４へ供給する天然ガス等の原燃料を供給するための改質用燃料供給管２８が気化部１８に接続されている。それにより、気化部１８に原燃料を供給することで、水（水蒸気）と原燃料とを混合することもでき、この場合、気化部１８が混合部の役割も果たすことになる。なお、図３に示す燃料電池装置においては、天然ガス等の原燃料が加熱体３に供給されるが、図３においては、加熱体３に原燃料を供給する構成については省略しており、後述するものとする。
【００３８】
さらに図３に示す燃料電池装置１７では、改質器４は一端が気化部１８と接続され、他端がマニホールド５に接続されている。それにより、気化部１８とマニホールド５とを容易に、かつ強固に固定することができる。なお、気化部１８とマニホールド５とをより強固に固定するにあたり、例えば気化部１８が立方体や直方体の場合には、改質器４を４つ以上設ける構成とし、それぞれを各角部に接続することで、より強固に固定することができる。
【００３９】
このような燃料電池装置１、１７では、起動時間を早めることができることから、通常使用される家庭用や業務用の燃料電池装置のほか、非常用電源として用いることができる。特に、非常用電源として用いる場合に、本実施形態の燃料電池装置１、１７が有用となる。
【００４０】
以下に、上述の燃料電池装置１７の構成の一例を、図４に示す構成図を用いて説明する。
【００４１】
図４に示す燃料電装置においては、セルスタック７の両側方に改質器４および加熱体３を配置している構成を示している。ここで、図４に示す燃料電池装置では、原燃料を加熱体３および加熱体４に向けて供給する原燃料ポンプ２６を有する原燃料供給部を備えており、原燃料ポンプ２６と加熱体３とが加熱体用燃料供給管２７により接続されている。また、原燃料ポンプ２６と気化部１８とが、改質用燃料供給管２８により接続されている。なお、原燃料ポンプ２６と、加熱体用燃料供給管２７および改質用燃料供給管２８との間には、加熱体用燃料供給管２７および改質用燃料供給管２８を流れる原燃料の量を調整するための原燃料調整弁２３が設けられている。
【００４２】
また、セルスタック７の上方には、改質器４に供給する水を気化するとともに、原燃料と混合するための気化部１８と、該気化部１８に供給する水を貯水するための水タンク２０とが設けられており、気化部１８と水タンク２０とは、水供給管１９で接続され、水タンク２０には外部より水（水道水等）を供給するための水タンク水供給管２１が設けられている。ここで、水供給管１９には、気化部１８に供給する水の量を調整するための水調整弁２４が設けられている。
【００４３】
また、セルスタック７に酸素含有ガスを供給するための酸素含有ガスポンプ２５を有する酸素含有ガス供給部を有している。ここで、酸素含有ガスはセルスタック７の下方から
上方に沿って流れるように、セルスタック７の下方に供給することが好ましい。なお、この場合において、あわせて加熱体３の付近にも酸素含有ガスが流れる構成とすることが好ましい。なお、図４に示す燃料電池装置においては、便宜上セルスタック７の中央部に酸素含有ガスを供給する例を記載している。
【００４４】
また、図４に示す燃料電池装置においては、これらの原燃料調整弁２３、水調整弁２４、酸素含有ガスポンプ２５、原燃料ポンプ２６等の動作を制御する制御装置２２が設けられている。それにより、制御装置２２が各種弁やポンプの動作を制御することにより、起動に係る時間を早めることができるほか、効率のよい運転を行なうことができる。なお、図４に示す燃料電池装置においては、図示してはいないが、セルスタック７で発電した電流を変換するためのパワーコンディショナや、燃料ガス流路６より排出される燃料ガスを着火するための着火装置を備えている。
【００４５】
ここで、図４に示す構成においては、制御装置２２は、燃料電池装置の起動時において、最も起動時間を短くするにあたっては、起動時に、酸素含有ガスポンプ２５を作動させるとともに、原燃料ポンプ２６を作動させ、さらには原燃料が加熱体用燃料供給管２７および改質用燃料供給管２８の両方の供給管に流れるように原燃料調整弁２３を制御し、あわせて同時に水タンク２０の水が、気化部１８に流れるように水調整弁２４を制御することが好ましい。
【００４６】
それにより、起動初期から加熱体３の燃焼と、燃料電池セル２のガス流路６より排出される燃料ガス（余剰の燃料ガス）の燃焼が生じることで、セルスタック７の温度を急速に上昇させることができ、燃料電池装置の起動を早めることができる。なお、原燃料調整弁２３の制御にあたっては、気化部１８の大きさ等を考慮して、適宜、加熱体用燃料供給管２７および改質用燃料供給管２８に流れる原燃料の量を調整することが好ましい。
【００４７】
なお、燃料電池装置における改質器４が水蒸気改質を行なわない構成、すなわち水タンク２０を備えない構成の場合には、酸素含有ガスポンプ２５より改質器４に酸素含有ガスを供給することで、部分酸化改質を行なうこともできる。部分酸化改質はいわゆる発熱反応であることから、さらに燃料電池装置の起動を早めることも可能となる。なお、この場合において、上述の気化部１８を混合部とし、酸素含有ガスと原燃料とをそれぞれ気化部１８に供給して、混合されたガスが改質器４に供給される構成とすることもできる。さらには、改質器４にて部分酸化改質と水蒸気改質の両方を行なう構成とすることもできる。この場合は、改質器４にて水蒸気改質可能となる温度までは部分酸化改質を行ない、水蒸気改質可能な温度に達したのちは、水蒸気改質を行なうように、適宜酸素含有ガスポンプ２５や水調整弁２４の動作を制御すればよい。
【００４８】
図５は、本実施形態の燃料電池装置の他の一例を示す構成図である。図４に示す構成図と比較して、燃料電池セル２の温度を測定するための温度測定部２９を備えている点で異なっている。
【００４９】
燃料電池装置の起動初期は、改質器４の温度が低いほか、気化部１８の温度も低いことから、改質器４で水蒸気改質を行なうことができない場合がある。それゆえ、最初は原燃料ポンプ２６より供給される原燃料の全量が加熱体３に供給されるように、原燃料調整弁２３を制御することもできる。それにより、原燃料ポンプ２６より供給される原燃料の全量が全て加熱部３に供給されることで、セルスタック７の温度をさらに急速に上昇させることができる。
【００５０】
しかしながら、この場合において、加熱体３の燃焼熱で燃料電池セル２の温度が上昇した場合に、ガス流路６内に存在する酸素含有ガスにより、燃料電池セル２が酸化すること
で、燃料電池セル２が劣化するおそれがある。
【００５１】
それゆえ、燃料電池セル２の温度が所定の温度以上となった場合には、原燃料を、改質器４を介して燃料電池セル２に供給して、燃料電池セル２（ガス流路６）内の酸素含有ガスを排出することが好ましい。
【００５２】
このような燃料電池装置においては、燃料電池装置の起動時において、まず、制御装置２２は、原燃料ポンプ２６および酸素含有ガスポンプ２５を作動させる。あわせて温度測定部２９を作動させ、温度測定部２９にて測定された燃料電池セル２の温度情報が制御装置２２に伝送される。制御装置２２は、温度測定部２９で測定された燃料電池セル２の温度が所定の温度以下の場合には、原燃料ポンプ２６より供給される原燃料の全量が、加熱体用燃料供給管２７を介して加熱体３に供給されるように原燃料調整弁２３を制御する。
【００５３】
一方、温度測定部２９で測定された燃料電池セル２の温度が所定の温度よりも高い温度となった場合には、原燃料が加熱体３および改質器４（気化部１８）のそれぞれに供給されるように原燃料調整弁２３を制御する。なお、燃料電池セル２の所定の温度とは、例えば２５０〜３５０℃の間で適宜設定することができる。あわせて、水タンク２０の水が、気化部１８に流れるように水調整弁２４を制御する。なお、温度測定部２９としては、例えば熱電対等の温度センサを用いることができる。
【００５４】
それにより、燃料電池装置の起動時において、燃料電池セル２が劣化することを抑制することができるほか、起動初期においては原燃料ポンプ２６より供給される原燃料の全量を加熱体３に供給することで、セルスタック７の温度を急速上昇させることができ、燃料電池装置の起動を早めることができる。また燃料電池セル２の温度が所定温度以上となった場合においては、改質器４の温度も上昇しており、この場合に水タンク２０の水が、気化部１８に流れるように水調整弁２４を制御することから、効率よく燃料電池装置を起動させることもできる。
【００５５】
以上、本発明について詳細に説明したが、本発明は上述の実施の形態の例に限定されるものではなく、本発明の要旨を逸脱しない範囲内において、種々の変更、改良等が可能である。
【００５６】
例えば、上述の例において、燃料電池セル２がいわゆる中空平板型の例を用いて説明したが、例えば平板型や円筒型の燃料電池セル２とすることもできる。この場合であっても、上述の説明と同様の効果を得ることができる。
【００５７】
また、図示はしていないが、水タンク２０に貯水する水を生成するための水処理装置を備えることができるほか、本実施形態の燃料電池装置を家庭用として利用する場合には、燃料電池装置より排出される排ガスと水とで熱交換するための熱交換器や、熱交換後の水（お湯）を貯水するための貯湯タンクを備えた構成とすることもできる。さらには、熱交換にて生じた水を凝縮水として、水タンク２０に貯水する構成とすることもできる。
【符号の説明】
【００５８】
１、１７：燃料電池装置
２：燃料電池セル
３：加熱体
４：改質器
５：マニホールド
６：ガス流路
７：セルスタック
１８：気化部
１９：水供給管
２０：水タンク
２２：制御装置
２３：原燃料調整弁
２４：水調整弁
２５：酸素含有ガス供給部
２６：原燃料調整弁
２７：加熱体用燃料供給管
２８：改質用燃料供給管
２９：温度測定部
【図２】
2014089837.tif 000003
【図４】
2014089837.tif 000004
【図５】
2014089837.tif 000005
【図１】
2014089837.tif 000006
【図３】
2014089837.tif 000007